(57)【要約】【課題】太陽電池モジュールの取扱を容易にする技術を提供する。【解決手段】第１フレーム１２ａは、太陽電池パネルの第１辺を取り付ける第１取付溝１４ａと、第１取付溝１４ａに対する太陽電池パネルの裏面側方向において、第１辺に沿って延びる第１本体部１６ａとを備える。第２フレーム１２ｂは、太陽電池パネルの第２辺を取り付ける第２取付溝１４ｂと、第２取付溝１４ｂに対する太陽電池パネルの裏面側方向において、第２辺に沿って延びる第２本体部１６ｂとを備える。第１取付溝１４ａの受光面側端から第１本体部１６ａの裏面側端までの長さは、第２取付溝１４ｂの受光面側端から第２本体部１６ｂの裏面側端までの長さよりも短い。【選択図】図４
2017017811.tif 000002
【特許請求の範囲】
【請求項１】
反対方向を向いた受光面と裏面とを含むとともに、これらの外周に第１辺と第２辺とを含む太陽電池パネルと、
前記太陽電池パネルの第１辺側に配置される第１フレームと、
前記太陽電池パネルの第２辺側に配置される第２フレームとを備え、
前記第１フレームは、
前記太陽電池パネルの第１辺を取り付ける第１取付溝と、
前記第１取付溝の裏面側方向において、第１辺に沿って延びる第１本体部とを備え、
前記第２フレームは、
前記太陽電池パネルの第２辺を取り付ける第２取付溝と、
前記第２取付溝の裏面側方向において、第２辺に沿って延びる第２本体部とを備え、
前記第１取付溝の受光面側端から前記第１本体部の裏面側端までの長さは、前記第２取付溝の受光面側端から前記第２本体部の裏面側端までの長さよりも短いことを特徴とする太陽電池モジュール。
【請求項２】
前記第１本体部は、中空構造を有し、中空部分に連結部材を固定するための第１固定部を含み、
前記第２本体部は、中空構造を有し、中空部分に連結部材を固定するための第２固定部を含み、
前記太陽電池パネルの受光面と裏面とを結ぶ方向において、前記第１本体部の中心から前記第１固定部の中心までの距離は、前記第２本体部の中心から前記第２固定部の中心までの距離よりも短いことを特徴とする請求項１に記載の太陽電池モジュール。
【請求項３】
前記第１フレームは、
前記第１本体部の裏面側方向において、前記太陽電池パネルの外周の外側方向に開いた調整溝をさらに備え、
前記第１取付溝の受光面側端から前記調整溝の裏面側端までの長さは、前記第２取付溝の受光面側端から前記第２本体部の裏面側端までの長さに合わされていることを特徴とする請求項１または２に記載の太陽電池モジュール。
【請求項４】
第３フレームと、
第４フレームとをさらに備え、
前記太陽電池パネルは、第１辺に対向した第３辺と、第２辺に対向した第４辺も含み、
前記第３フレームは、
前記太陽電池パネルの第３辺を取り付ける第３取付溝と、
前記第３取付溝の裏面側方向において、第３辺に沿って延びる第３本体部とを備え、
前記第４フレームは、
前記太陽電池パネルの第４辺を取り付ける第４取付溝と、
前記第４取付溝の裏面側方向において、第４辺に沿って延びる第４本体部とを備え、
前記第３取付溝の受光面側端から前記第３本体部の裏面側端までの長さは、前記第１取付溝の受光面側端から前記第１本体部の裏面側端までの長さに合わされており、
前記第４取付溝の受光面側端から前記第４本体部の裏面側端までの長さは、前記第２取付溝の受光面側端から前記第２本体部の裏面側端までの長さに合わされていることを特徴とする請求項１または２に記載の太陽電池モジュール。
【発明の詳細な説明】
【技術分野】
【０００１】
本発明は、太陽電池モジュールに関し、特に、太陽電池パネルの外周にフレームが配置される太陽電池モジュールに関する。
【背景技術】
【０００２】
太陽電池モジュールは、太陽電池パネルと、太陽電池パネルを保持するための枠部材とによって構成される。枠部材は、太陽電池パネルの一辺に沿って垂直に形成された外壁と、外壁の上部において太陽電池パネルを保持するための太陽電池パネル保持部を備えるように構成される（例えば、特許文献１参照）。
【先行技術文献】
【特許文献】
【０００３】
【特許文献１】特開２００９−６００５８号公報
【発明の概要】
【発明が解決しようとする課題】
【０００４】
太陽電池モジュールは、屋根等への取り付けがなされる前、枠部材が重ね合わされながら積載されている。そのため、上下に重ねられた枠部材の間に指を入れにくくなり、積載された太陽電池モジュールの積み下ろしが困難になる。このようなことは、大型サイズの太陽電池モジュール、重量の重い太陽電池モジュール、高所に置かれた太陽電池モジュールに対して顕著である。
【０００５】
本発明はこうした状況に鑑みてなされたものであり、その目的とするところは、太陽電池モジュールの取扱を容易にする技術を提供することにある。
【課題を解決するための手段】
【０００６】
上記課題を解決するために、本発明のある態様の太陽電池モジュールは、反対方向を向いた受光面と裏面とを含むとともに、これらの外周に第１辺と第２辺とを含む太陽電池パネルと、太陽電池パネルの第１辺側に配置される第１フレームと、太陽電池パネルの第２辺側に配置される第２フレームとを備える。第１フレームは、太陽電池パネルの第１辺を取り付ける第１取付溝と、第１取付溝の裏面側方向において、第１辺に沿って延びる第１本体部とを備える。第２フレームは、太陽電池パネルの第２辺を取り付ける第２取付溝と、第２取付溝の裏面側方向において、第２辺に沿って延びる第２本体部とを備える。第１取付溝の受光面側端から第１本体部の裏面側端までの長さは、第２取付溝の受光面側端から第２本体部の裏面側端までの長さよりも短い。
【発明の効果】
【０００７】
本発明によれば、厚さ方向で長さが相違することにより生じた隙間により、太陽電池モジュールの取扱を容易にできる。
【図面の簡単な説明】
【０００８】
【図１】本発明の実施例１に係る太陽電池モジュールの構成を示す上面図である。
【図２】図１の太陽電池モジュールの構成を示す断面図である。
【図３】図１の太陽電池モジュールの構成を示す別の断面図である。
【図４】図４（ａ）−（ｃ）は、図１のフレームの構成を比較する断面図である。
【図５】図１の太陽電池モジュールの構成を示す斜視図である。
【図６】図１のフレーム間を連結するための連結部材の構成を示す上面図である。
【図７】図１の太陽電池モジュールを屋根に設置した場合を示す上面図である。
【図８】図１の太陽電池モジュールを屋根に設置した場合を示す断面図である。
【図９】図９（ａ）−（ｂ）は、本発明の実施例２に係るフレームの構成を比較する断面図である。
【発明を実施するための形態】
【０００９】
（実施例１）
本発明を具体的に説明する前に、概要を述べる。本発明の実施例１は、太陽電池パネルの外周を囲むようにフレームが取り付けられた太陽電池モジュールに関する。太陽電池パネルの厚さ方向において、すべてのフレームの長さが等しければ、当該太陽電池モジュールを複数積載した場合に、太陽電池モジュールを持ち上げるために指を入れるスペースがなくなり、太陽電池モジュールの取扱が困難になる。これに対応するために、本実施例に係る太陽電池モジュールは、次のように構成される。
【００１０】
太陽電池パネルは矩形状に形成されており、２つの長辺と２つの短辺とを含む。また、２つの長辺のそれぞれには、長フレームが取り付けられ、２つの短辺のそれぞれには、短フレームが取り付けられる。本実施例では、太陽電池セルの厚さ方向において、短フレームと長フレームとの長さが異なるように形成される。例えば、短フレームが長フレームよりも短くなるように形成されたり、長フレームが端フレームよりも短くなるように形成されたりする。以下では、前者の場合を説明するが、後者の場合でも同様である。
【００１１】
図１は、本発明の実施例１に係る太陽電池モジュール１００の構成を示す上面図である。図１に示すように、ｘ軸、ｙ軸、ｚ軸からなる直角座標系が規定される。ｘ軸、ｙ軸は、太陽電池モジュール１００の平面内において互いに直交する。ｚ軸は、ｘ軸およびｙ軸に垂直であり、太陽電池モジュール１００の厚み方向に延びる。また、ｘ軸、ｙ軸、ｚ軸のそれぞれの正の方向は、図１における矢印の方向に規定され、負の方向は、矢印と逆向きの方向に規定される。太陽電池モジュール１００を形成する２つの主表面であって、かつｘ−ｙ平面に平行な２つの主表面のうち、ｚ軸の正方向側に配置される主平面が受光面であり、ｚ軸の負方向側に配置される主平面が裏面である。以下では、ｚ軸の正方向側を「受光面側」とよび、ｚ軸の負方向側を「裏面側」とよぶこともある。
【００１２】
太陽電池モジュール１００は、太陽電池パネル１０、フレーム１２と総称される第１フレーム１２ａ、第２フレーム１２ｂ、第３フレーム１２ｃ、第４フレーム１２ｄを含む。太陽電池パネル１０は、第１辺１１０、第２辺１１２、第３辺１１４、第４辺１１６を外周とする矩形状を有する。第１辺１１０と第３辺１１４は互いに対向し、第２辺１１２と第４辺１１６は互いに対向する。ここで、ｘ軸方向に沿った第１辺１１０、第３辺１１４は前述の「短辺」に相当し、ｙ軸方向に沿った第２辺１１２、第４辺１１６は前述の「長辺」に相当し、短辺は長辺よりも短くされる。
【００１３】
太陽電池パネル１０は、図示しない複数の太陽電池セルを複数含む。例えば、複数の太陽電池セルは、ｘ−ｙ平面上にマトリクス状に配列される。複数の太陽電池セルのそれぞれは、入射する光を吸収して光起電力を発生する。太陽電池セルは、例えば、結晶系シリコン、ガリウム砒素（ＧａＡｓ）またはインジウム燐（ＩｎＰ）等の半導体材料によって形成される。太陽電池セルの構造は、特に限定されないが、ここでは、一例として、結晶シリコンとアモルファスシリコンとが積層されているとする。
【００１４】
第１フレーム１２ａは、第１辺１１０側に配置され、第２フレーム１２ｂは、第２辺１１２側に配置され、第３フレーム１２ｃは、第３辺１１４側に配置され、第４フレーム１２ｄは、第４辺１１６側に配置される。また、第１フレーム１２ａ、第３フレーム１２ｃは、前述の「短フレーム」に相当し、第２フレーム１２ｂ、第４フレーム１２ｄは、前述の「長フレーム」に相当する。
【００１５】
図２は、太陽電池モジュール１００の構成を示す断面図である。これは、太陽電池モジュール１００のｘ軸に沿った断面図であり、図１のＡ−Ａ’断面図である。太陽電池モジュール１００は、太陽電池パネル１０、第２フレーム１２ｂ、第４フレーム１２ｄを含む。第２フレーム１２ｂは、第２取付溝１４ｂ、第２本体部１６ｂ、第２中空部１８ｂを含み、第４フレーム１２ｄは、第４取付溝１４ｄ、第４本体部１６ｄ、第４中空部１８ｄを含む。ここで、第２取付溝１４ｂ、第４取付溝１４ｄは、取付溝１４と総称され、第２本体部１６ｂ、第４本体部１６ｄは、本体部１６と総称され、第２中空部１８ｂ、第４中空部１８ｄは、中空部１８と総称される。図２の上側が受光面側に相当し、下側が裏面側に相当する。
【００１６】
太陽電池パネル１０の厚さ方向は、ｚ軸方向に相当する。前述のごとく、太陽電池パネル１０のｚ軸の正方向側に受光面１２０が配置され、ｚ軸の負方向側に裏面１２２が配置される。そのため、受光面１２０と裏面１２２は、ｚ軸方向において反対方向を向く。第２フレーム１２ｂにおけるｚ軸の正方向側に、第２取付溝１４ｂが配置される。第２取付溝１４ｂは、ｘ軸の正方向側から、太陽電池パネル１０の第２辺１１２を取り付ける。ｚ軸方向における第２取付溝１４ｂの負方向側に、第２本体部１６ｂが配置される。第２本体部１６ｂは、第２辺１１２に沿って、つまりｙ軸方向に延びる。第２本体部１６ｂは、中空構造を有しており、第２本体部１６ｂの内部には、第２中空部１８ｂが形成される。第２取付溝１４ｂ、第２本体部１６ｂ、第２中空部１８ｂの構成の詳細は後述する。
【００１７】
第４フレーム１２ｄにおけるｚ軸の正方向側に、第４取付溝１４ｄが配置される。第４取付溝１４ｄは、ｘ軸の負方向側から、太陽電池パネル１０の第４辺１１６を取り付ける。ｚ軸の方向における第４取付溝１４ｄの負方向側に、第４本体部１６ｄが配置される。第４本体部１６ｄは、第４辺１１６に沿って、つまりｙ軸方向に延びる。第４本体部１６ｄは、中空構造を有しており、第４本体部１６ｄの内部には、第４中空部１８ｄが形成される。
【００１８】
第４取付溝１４ｄ、第４本体部１６ｄ、第４中空部１８ｄの構成は、第２取付溝１４ｂ、第２本体部１６ｂ、第２中空部１８ｂの構成と同様である。そのため、第４取付溝１４ｄのｚ軸の正方向側端から第４本体部１６ｄのｚ軸の負方向側端までの長さ「Ａ４」は、第２取付溝１４ｂのｚ軸の正方向側端から第２本体部１６ｂのｚ軸の負方向側端までの長さ「Ａ２」に合わされている。例えば、「Ａ４」は「Ａ２」に等しい。
【００１９】
図３は、太陽電池モジュール１００の構成を示す別の断面図である。これは、太陽電池モジュール１００のｙ軸に沿った断面図であり、図１のＢ−Ｂ’断面図である。太陽電池モジュール１００は、太陽電池パネル１０、第１フレーム１２ａ、第３フレーム１２ｃを含む。第１フレーム１２ａは、第１取付溝１４ａ、第１本体部１６ａ、第１中空部１８ａを含み、第３フレーム１２ｃは、第３取付溝１４ｃ、第３本体部１６ｃ、第３中空部１８ｃを含む。ここで、第１取付溝１４ａ、第３取付溝１４ｃも、取付溝１４と総称され、第１本体部１６ａ、第３本体部１６ｃも、本体部１６と総称され、第１中空部１８ａ、第３中空部１８ｃも、中空部１８と総称される。図３の上側が受光面側に相当し、下側が裏面側に相当する。
【００２０】
第１フレーム１２ａにおけるｚ軸の正方向側に、第１取付溝１４ａが配置される。第１取付溝１４ａは、ｙ軸の正方向側から、太陽電池パネル１０の第１辺１１０を取り付ける。ｚ軸方向における第１取付溝１４ａの負方向側に、第１本体部１６ａが配置される。第１本体部１６ａは、第１辺１１０に沿って、つまりｘ軸方向に延びる。第１本体部１６ａは、中空構造を有しており、第１本体部１６ａの内部には、第１中空部１８ａが形成される。第１取付溝１４ａ、第１本体部１６ａ、第１中空部１８ａの構成の詳細は後述する。
【００２１】
第３フレーム１２ｃにおけるｚ軸の正方向側に、第３取付溝１４ｃが配置される。第３取付溝１４ｃは、ｙ軸の負方向側から、太陽電池パネル１０の第３辺１１４を取り付ける。ｚ軸の方向における第３取付溝１４ｃの負方向側に、第３本体部１６ｃが配置される。第３本体部１６ｃは、第３辺１１４に沿って、つまりｘ軸方向に延びる。第３本体部１６ｃは、中空構造を有しており、第３本体部１６ｃの内部には、第３中空部１８ｃが形成される。
【００２２】
第３取付溝１４ｃ、第３本体部１６ｃ、第３中空部１８ｃの構成は、第１取付溝１４ａ、第１本体部１６ａ、第１中空部１８ａの構成と同様である。そのため、第３取付溝１４ｃのｚ軸の正方向側端から第３本体部１６ｃのｚ軸の負方向側端までの長さ「Ａ３」は、第１取付溝１４ａのｚ軸の正方向側端から第１本体部１６ａのｚ軸の負方向側端までの長さ「Ａ１」に合わされている。例えば、「Ａ３」は「Ａ１」に等しい。
【００２３】
図４（ａ）−（ｃ）は、フレーム１２の構成を比較する断面図である。図４（ａ）は、第２フレーム１２ｂ、つまり長フレームの断面図であり、第４フレーム１２ｄも同様に示される。図４（ｂ）は、第１フレーム１２ａ、つまり短フレームの断面図であり、第３フレーム１２ｃも同様に示される。
【００２４】
図４（ｂ）の第１フレーム１２ａにおける第１取付溝１４ａは、ｚ軸方向に離間して並んで配置された第１上突出片２２ａ、第１上面部２４ａを含む。第１上面部２４ａは、第１本体部１６ａのｚ軸の正方向側端の面である。第１上突出片２２ａは、第１上面部２４ａのｚ軸の正方向側において、ｙ軸の負方向から正方向に向かって突出する。第１上突出片２２ａのｙ軸方向の長さは、第１上面部２４ａのｙ軸方向の長さよりも長い。また、第１上面部２４ａと第１上突出片２２ａは、短フレームの全長にわたって延びて形成されている。第１取付溝１４ａの断面形状は、太陽電池パネル１０の端部の断面形状に適合した形状に形成されており、第１上面部２４ａと第１上突出片２２ａとの間に、図示しない太陽電池パネル１０が挟まれるように取り付けられる。
【００２５】
第１本体部１６ａは、前述のごとく、中空構造を有する。そのため、第１本体部１６ａの内部に第１中空部１８ａが設けられる。第１中空部１８ａにおいてｚ軸に沿って設けられた２つの面のそれぞれには、第１突起部２６ａと第２突起部２６ｂとが対向して立設される。第１突起部２６ａは、壁からｙ軸の正方向に突出し、第２突起部２６ｂは、壁からｙ軸の負方向に突出する。また、第１突起部２６ａが立設された壁において、第１突起部２６ａのｚ軸の負方向側に第３突起部２６ｃが立設され、第２突起部２６ｂが立設された壁において、第２突起部２６ｂのｚ軸の負方向側に第４突起部２６ｄが立設される。ここで、第３突起部２６ｃと第４突起部２６ｄも対向する。
【００２６】
第１中空部１８ａにおいて、第１突起部２６ａ、第２突起部２６ｂ、第３突起部２６ｃ、第４突起部２６ｄによって囲まれた部分に、第１固定部２０ａが形成される。第１固定部２０ａには、連結部材３２が固定される。図４（ｂ）では、連結部材３２の断面が示されているが、第１固定部２０ａは、連結部材３２を圧入可能なサイズを有する。なお、連結部材３２の構造は後述するが、連結部材３２は、隣接して配置された２つのフレームを連結するために使用される。そのため、第１固定部２０ａは、第１突起部２６ａ、第２突起部２６ｂ、第３突起部２６ｃ、第４突起部２６ｄによって囲まれ、かつ連結部材３２を挿入すべき部分といえる。なお、後述の第２固定部２０ｂも同様に定義される。
【００２７】
図４（ａ）の第２フレーム１２ｂにおける第２取付溝１４ｂは、ｚ軸方向に離間して並んで配置された第２上突出片２２ｂ、第２上面部２４ｂを含む。第２上面部２４ｂは、第２本体部１６ｂのｚ軸の正方向側端の面である。第２上突出片２２ｂは、第２上面部２４ｂのｚ軸の正方向側において、ｘ軸の負方向から正方向に向かって突出する。また、第２上面部２４ｂと第２上突出片２２ｂは、長フレームの全長にわたって延びて形成されている。第２取付溝１４ｂの断面形状は、太陽電池パネル１０の端部の断面形状に適合した形状に形成されており、第２上面部２４ｂと第２上突出片２２ｂとの間に、図示しない太陽電池パネル１０が挟まれるように取り付けられる。また、ｚ軸方向において、第２上突出片２２ｂの正方向側端の位置と、第１上突出片２２ａの正方向側端の位置とが合わされた場合に、第２取付溝１４ｂの位置と第１取付溝１４ａの位置が合うように形成されている。
【００２８】
第２本体部１６ｂも、前述のごとく、中空構造を有する。そのため、第２本体部１６ｂの内部に第２中空部１８ｂが設けられる。第２中空部１８ｂにおいても、第１中空部１８ａと同様に第２固定部２０ｂが形成される。第２固定部２０ｂにも、連結部材３２が固定される。さらに、ｚ軸方向における第２本体部１６ｂの下方部分から、下突出片２８がｘ軸の正方向側に向かって設けられる。
【００２９】
以下では、図４（ａ）と図４（ｂ）とを使用しながら、第１フレーム１２ａの構成と第２フレーム１２ｂの構成とを比較する。第１取付溝１４ａのｚ軸の正方向側端から第１本体部１６ａのｚ軸の負方向側端までの長さ「Ａ１」は、第２取付溝１４ｂのｚ軸の正方向側端から第２本体部１６ｂのｚ軸の負方向側端までの長さ「Ａ２」よりも短い。特に、ｚ軸方向における第１本体部１６ａの下部に指を入れて太陽電池モジュール１００を持ち上げるために、「Ａ１」と「Ａ２」との差異は、１０ｍｍ以上にされる。
【００３０】
また、ｚ軸方向において、第１本体部１６ａの中心「Ｐ１」から第１固定部２０ａの中心「Ｐ２」までの距離は、第２本体部１６ｂの中心「Ｐ３」から第２固定部２０ｂの中心「Ｐ４」までの距離よりも短い。中空部１８におけるｚ軸の正方向側端あるいは負方向側端と、固定部２０の中心との距離が長いほど、中空部１８が変位しやすくなる。中空部１８が変位しやすくなると、連結部材３２を固定部２０に圧入することが容易になる。第１中空部１８ａのｚ軸方向の長さ「Ｂ１」は、第２中空部１８ｂのｚ軸方向の長さ「Ｂ２」よりも短いので、圧入が困難になるおそれが高い。これを考慮して、第１中空部１８ａにおけるｚ軸の正方向側端あるいは負方向側端と、第１固定部２０ａの中心との距離を確保するために、第１中空部１８ａの中央部分に第１固定部２０ａの中心「Ｐ２」が近づけられる。
【００３１】
図４（ｃ）は、図４（ｂ）に示された第１フレーム１２ａの比較対象になる従来短フレーム５２である。つまり、従来短フレーム５２は、これまで使用されていた短フレームの構成を示す。
【００３２】
従来短フレーム５２におけるｚ軸の正方向側に、取付溝５４が配置される。取付溝５４は、ｙ軸の正方向側から、太陽電池パネル１０を取り付ける。ｚ軸方向における取付溝５４の負方向側に、本体部５６が配置される。本体部５６は、ｘ軸方向に延びる。本体部５６は、中空構造を有しており、本体部５６の内部には、中空部５８が形成される。中空部５８中の固定部６０には、連結部材３２が固定される。取付溝５４のｚ軸の正方向側端から本体部５６のｚ軸の負方向側端までの長さ「Ａ５」は、第２取付溝１４ｂのｚ軸の正方向側端から第２本体部１６ｂのｚ軸の負方向側端までの長さ「Ａ２」と同一である。そのため、ｚ軸方向において、太陽電池パネル１０の外周に配置される複数のフレームの長さは、同一であり、指を入れるためのスペースが確保されていない。
【００３３】
図５は、太陽電池モジュール１００の構成を示す斜視図である。これは、第１フレーム１２ａと第４フレーム１２ｄとが連結される部分を示す。ｚ軸方向において、第１フレーム１２ａの長さは、第４取付溝１４ｄの長さよりも短い。そのため、第１フレーム１２ａの下方に、指を入れるためのスペースが生じるとともに、第４中空部１８ｄの一部が露出する。
【００３４】
図６は、フレーム１２間を連結するための連結部材３２の構成を示す上面図である。第１フレーム１２ａと第２フレーム１２ｂとは、連結部材３２によって互いに連結される。連結部材３２は、Ｌ字の形状を有し、内側部分に鉤状部３４を備える。また、連結部材３２は、アルミニウムで形成される。例えば、連結部材３２のＬ字形状の一辺側が第１本体部１６ａに圧入される。これに続いて、連結部材３２のＬ字形状の他辺側が第２本体部１６ｂに圧入される。
【００３５】
図７は、太陽電池モジュール１００を屋根に設置した場合を示す上面図である。第１ベースレール３６ａと第２ベースレール３６ｂは、ベースレール３６と総称され、ｘ軸方向に延びる。第１ベースレール３６ａと第２ベースレール３６ｂは、野地板上において、ｙ軸方向に離間するように並べて設置される。第１太陽電池モジュール１００ａ、第２太陽電池モジュール１００ｂ、第３太陽電池モジュール１００ｃは、図１の太陽電池モジュール１００と同一の方向を向くように示される。第１太陽電池モジュール１００ａ、第２太陽電池モジュール１００ｂ、第３太陽電池モジュール１００ｃは、ｘ軸方向に並んで第１ベースレール３６ａと第２ベースレール３６ｂに設置される。
【００３６】
ここで、第１太陽電池モジュール１００ａの第４フレーム１２ｄと、第２太陽電池モジュール１００ｂの第２フレーム１２ｂは、第１上留め金具３８ａ、第２上留め金具３８ｂ、第１ボルト４０ａ、第２ボルト４０ｂによって、ベースレール３６に設置される。また、第２太陽電池モジュール１００ｂの第４フレーム１２ｄと、第３太陽電池モジュール１００ｃの第２フレーム１２ｂは、第３上留め金具３８ｃ、第４上留め金具３８ｄ、第３ボルト４０ｃ、第４ボルト４０ｄによって、ベースレール３６に設置される。つまり、短フレームではなく、長フレームにおいて、太陽電池モジュール１００がベースレール３６に設置される。
【００３７】
図８は、太陽電池モジュール１００を屋根に設置した場合を示す断面図である。これは、第１太陽電池モジュール１００ａと第２太陽電池モジュール１００ｂとが設置される部分の拡大図である。第１太陽電池モジュール１００ａの第４フレーム１２ｄと、第２太陽電池モジュール１００ｂの第２フレーム１２ｂは、第１ベースレール３６ａに載置される。これらに対して、ｚ軸の正方向側から第１上留め金具３８ａが載置される。
【００３８】
第１ベースレール３６ａには第１ベースレール穴４６ａが設けられており、第１上留め金具３８ａには第１上留め金具穴４２ａが設けられている。第１ベースレール穴４６ａ、第１上留め金具穴４２ａは、第１ボルト４０ａをねじ止めするためのねじ切りが形成されたネジ穴であってもよく、挿入孔であってもよい。第１ボルト４０ａは、ｚ軸の負方向側から第１ベースレール穴４６ａ、第１上留め金具穴４２ａを挿通する。また、第１上留め金具３８ａのｚ軸の正方向側から、第１ボルト４０ａは、第１ナット４８ａによって固定される。そのため、第１ボルト４０ａ、第１ナット４８ａによって、第１上留め金具３８ａが第１ベースレール３６ａに固定される。この固定により、第２フレーム１２ｂと第４フレーム１２ｄが、第１上留め金具３８ａと第１ベースレール３６ａとの間に挟まれるので、第１太陽電池モジュール１００ａと第２太陽電池モジュール１００ｂが第１ベースレール３６ａに設置される。
【００３９】
前述のごとく、第１フレーム１２ａと第３フレーム１２ｃのような短フレームではなく、第２フレーム１２ｂと第４フレーム１２ｄのような長フレームがベースレール３６に固定される。短フレームで固定するよりも、長フレームで固定した方が、ベースレール３６と太陽電池パネル１０との距離が長くなる。ベースレール３６と太陽電池パネル１０との距離が長くなると、太陽電池パネル１０がたわんだ場合であっても、太陽電池パネル１０がベースレール３６に接触する可能性が低くなる。なお、短フレームで固定した場合であっても、短フレームの高さが長フレームの高さよりも高ければ、太陽電池パネル１０がたわんでも、太陽電池パネル１０がベースレール３６に接触する可能性が低くなる。
【００４０】
本実施例によれば、第１フレームにおける第１取付溝のｚ軸の正方向側端から第１本体部のｚ軸の負方向側端までの長さが、第２フレームにおける第２取付溝のｚ軸の正方向側端から第２本体部のｚ軸の負方向側端までの長さよりも短いので、第１フレームの下側に指を入れることができる。また、第１フレームの下側に指が入れられるので、太陽電池モジュールを持ち上げることを容易にできる。また、太陽電池モジュールを持ち上げることが容易になるので、太陽電池モジュールの取扱を容易にできる。
【００４１】
また、第１本体部の中心から第１固定部の中心までの距離は、第２本体部の中心から第２固定部の中心までの距離よりも短くするので、第１固定部を第１中空部の中央部分に配置できる。第１固定部の中心が第１中空部の中央部分に配置されるので、第１中空部が変位しやすくなることによって、連結部材を第１固定部に圧入することを容易にできる。また、第３取付溝のｚ軸の正方向側端から第３本体部のｚ軸の負方向側端までの長さは、第１取付溝のｚ軸の正方向側端から第１本体部のｚ軸の負方向側端までの長さに合わされ、第４取付溝のｚ軸の正方向側端から第４本体部のｚ軸の負方向側端までの長さは、第２取付溝のｚ軸の正方向側端から第２本体部のｚ軸の負方向側端までの長さに合わされているので、第１フレームと第３フレームを持ちやすくできる。また、端子ボックスに接続されたケーブルを外部に取り出すことを容易にできる。また、内部で生じた熱を外部に放熱しやすくできる。
【００４２】
本実施例の概要は、次の通りである。本発明のある態様の太陽電池モジュール１００は、反対方向を向いた受光面１２０と裏面１２２とを含むとともに、これらの外周に第１辺１１０と第２辺１１２とを含む太陽電池パネル１０と、太陽電池パネル１０の第１辺１１０側に配置される第１フレーム１２ａと、太陽電池パネル１０の第２辺１１２側に配置される第２フレーム１２ｂとを備える。第１フレーム１２ａは、太陽電池パネル１０の第１辺１１０を取り付ける第１取付溝１４ａと、第１取付溝１４ａの裏面１２２側方向において、第１辺１１０に沿って延びる第１本体部１６ａとを備える。第２フレーム１２ｂは、太陽電池パネル１０の第２辺１１２を取り付ける第２取付溝１４ｂと、第２取付溝１４ｂの裏面１２２側方向において、第２辺１１２に沿って延びる第２本体部１６ｂとを備える。第１取付溝１４ａの受光面１２０側端から第１本体部１６ａの裏面１２２側端までの長さは、第２取付溝１４ｂの受光面１２０側端から第２本体部１６ｂの裏面１２２側端までの長さよりも短い。
【００４３】
第１本体部１６ａは、中空構造を有し、中空部分に連結部材３２を固定するための第１固定部２０ａを含んでもよい。第２本体部１６ｂは、中空構造を有し、中空部分に連結部材３２を固定するための第２固定部２０ｂを含んでもよい。太陽電池パネル１０の受光面１２０と裏面１２２とを結ぶ方向において、第１本体部１６ａの中心から第１固定部２０ａの中心までの距離は、第２本体部１６ｂの中心から第２固定部２０ｂの中心までの距離よりも短い。
【００４４】
第３フレーム１２ｃと、第４フレーム１２ｄとをさらに備えてもよい。太陽電池パネル１０は、第１辺１１０に対向した第３辺１１４と、第２辺１１２に対向した第４辺１１６も含んでもよい。第３フレーム１２ｃは、太陽電池パネル１０の第３辺１１４を取り付ける第３取付溝１４ｃと、第３取付溝１４ｃの裏面１２２側方向において、第３辺１１４に沿って延びる第３本体部１６ｃとを備えてもよい。第４フレーム１２ｄは、太陽電池パネル１０の第４辺１１６を取り付ける第４取付溝１４ｄと、第４取付溝１４ｄの裏面１２２側方向において、第４辺１１６に沿って延びる第４本体部１６ｄとを備えてもよい。第３取付溝１４ｃの受光面１２０側端から第３本体部１６ｃの裏面１２２側端までの長さは、第１取付溝１４ａの受光面１２０側端から第１本体部１６ａの裏面１２２側端までの長さに合わされており、第４取付溝１４ｄの受光面１２０側端から第４本体部１６ｄの裏面１２２側端までの長さは、第２取付溝１４ｂの受光面１２０側端から第２本体部１６ｂの裏面１２２側端までの長さに合わされていてもよい。
【００４５】
（実施例２）
次に、実施例２を説明する。実施例２は、実施例１と同様に、太陽電池パネルの外周を囲むようにフレームが取り付けられた太陽電池モジュールに関する。実施例１では、太陽電池モジュールを持ち上げるために指を入れるスペースを確保するために、太陽電池セルの厚さ方向において、短フレームが長フレームよりも短くなるように形成される。一方、実施例２は、実施例１とは異なった形状によって、太陽電池モジュールを持ち上げるために指を入れるスペースを確保する。実施例２に係る太陽電池モジュール１００は、図１と同様のタイプである。ここでは、これまでとの差異を中心に説明する。
【００４６】
図９（ａ）−（ｂ）は、本発明の実施例２に係るフレーム１２の構成を比較する断面図である。図９（ａ）は、第２フレーム１２ｂ、つまり長フレームの断面図であり、第４フレーム１２ｄも同様に示される。図９（ｂ）は、第１フレーム１２ａ、つまり短フレームの断面図であり、第３フレーム１２ｃも同様に示される。
【００４７】
第２フレーム１２ｂは、図４（ａ）と同様に構成される。第１フレーム１２ａでは、図４（ｂ）と同様に、第１取付溝１４ａ、第１本体部１６ａ、第１中空部１８ａ、第１固定部２０ａが構成される。さらに、第１本体部１６ａにおけるｙ軸の正方向側の下部から、ｚ軸の負方向に延び、かつ屈曲してからｙ軸の負方向に延びる調整溝４４が設けられる。つまり、調整溝４４は、第１本体部１６ａの下部において、太陽電池パネル１０の外周の外側方向に開いている。
【００４８】
以下では、図９（ａ）と図９（ｂ）とを使用しながら、第１フレーム１２ａの構成と第２フレーム１２ｂの構成とを比較する。ｚ軸方向において、第１取付溝１４ａのｚ軸の正方向側端から第１本体部１６ａのｚ軸の負方向側端までの長さ「Ａ１」は、第２取付溝１４ｂのｚ軸の正方向側端から第２本体部１６ｂのｚ軸の負方向側端までの長さ「Ａ２」よりも短い。また、第１取付溝１４ａのｚ軸の正方向側端から調整溝４４のｚ軸の負方向側端までの長さ「Ａ６」は、第２取付溝１４ｂのｚ軸の正方向側端から第２本体部１６ｂのｚ軸の負方向側端までの長さ「Ａ２」に合わされている。ここで、「Ａ１」と「Ａ６」との差異、つまり調整溝４４のｚ方向の幅は、ｚ軸方向における第１本体部１６ａの下部に指を入れて太陽電池モジュール１００を持ち上げるために、１０ｍｍ以上にされる。
【００４９】
本実施例によれば、第１フレームにおける第１取付溝のｚ軸の正方向側端から調整溝のｚ軸の負方向側端までの長さが、第２フレームにおける第２取付溝のｚ軸の正方向側端から第２本体部のｚ軸の負方向側端までの長さに合わされているので、載置した場合のバランスを改善できる。また、調整溝が設けられるので、第１フレームの下側に指を入れることができる。また、第１フレームの下側に指が入れられるので、太陽電池モジュールを持ち上げることを容易にできる。また、太陽電池モジュールを持ち上げることが容易になるので、太陽電池モジュールの取扱を容易にできる。
【００５０】
本実施例の概要は、次の通りである。第１フレーム１２ａは、第１本体部１６ａの裏面１２２側方向において、太陽電池パネル１０の外周の外側方向に開いた調整溝４４をさらに備えてもよい。第１取付溝１４ａの受光面１２０側端から調整溝４４の裏面１２２側端までの長さは、第２取付溝１４ｂの受光面１２０側端から第２本体部１６ｂの裏面１２２側端までの長さに合わされていてもよい。
【００５１】
以上、本発明について実施例をもとに説明した。この実施例は例示であり、それらの各構成要素あるいは各処理プロセスの組合せにいろいろな変形例が可能なこと、またそうした変形例も本発明の範囲にあることは当業者に理解されるところである。
【００５２】
本実施例１、２において、第１フレーム１２ａと第３フレーム１２ｃとが同様に形成されており、第２フレーム１２ｂと第４フレーム１２ｄとが同様に形成されている。しかしながらこれに限らず例えば、第２フレーム１２ｂから第４フレーム１２ｄが同様に形成されてもよい。つまり、第３フレーム１２ｃは第２フレーム１２ｂと同様に形成されてもよい。本変形例によれば、構成の自由度を向上できる。
【００５３】
本実施例１、２において、太陽電池パネル１０は矩形状を有している。しかしながらこれに限らず例えば、太陽電池パネル１０の形状は矩形状でなくてもよい。つまり、太陽電池パネル１０には、互いに対向した第１辺１１０と第３辺１１４とが含まれるとともに、互いに対向した第２辺１１２と第４辺１１６とが含まれていればよい。本変形例によれば、構成の自由度を向上できる。
【符号の説明】
【００５４】
１０  太陽電池パネル、  １２  フレーム、  １４  取付溝、  １６  本体部、  １８  中空部、  ２０  固定部、  ２２  上突出片、  ２４  上面部、  ２６  突起部、  ２８  下突出片、  １００  太陽電池モジュール。
【図１】
2017017811.tif 000003
【図２】
2017017811.tif 000004
【図３】
2017017811.tif 000005
【図４】
2017017811.tif 000006
【図５】
2017017811.tif 000007
【図６】
2017017811.tif 000008
【図７】
2017017811.tif 000009
【図８】
2017017811.tif 000010
【図９】
2017017811.tif 000011